(57)【要約】【課題】  容器を容易に着脱させることができる容器用保持具を提供することを課題とする。【解決手段】  紙皿Ｐ（容器）を支持する支持プレート１と、この支持プレート１に設けられ、前記紙皿Ｐ（容器）を保持する粘着層２と、を備えることを特徴とする構成となっている。このように、支持プレート１と粘着層２を備え、粘着層２を紙皿Ｐ（容器）と支持プレート１の間に設けた構成とすることにより、紙皿Ｐ（容器）の着脱が容易な容器用保持具とすることができる。【選択図】図１
0003202040.tif 000002
【実用新案登録請求の範囲】
【請求項１】
容器を支持する支持プレートと、
この支持プレートに設けられ、前記容器を保持する粘着層と、を備えることを特徴とする、容器用保持具。
【請求項２】
容器と、
この容器を支持する支持プレートと、
この支持プレートに設けられ、前記容器を保持する粘着層と、を備え、
この粘着層は、前記容器と前記支持プレートの間に設けられていることを特徴とする、容器用保持具。
【請求項３】
前記支持プレートは、前記容器よりも重量を有することを特徴とする、請求項１又は２に記載の容器用保持具。
【請求項４】
前記支持プレートは、前記容器の底部を支持するための支持面を有し、
前記支持面は、前記粘着層の表面と同様の高さに設けられていることを特徴とする、請求項１〜３の何れかに記載の容器用保持具。
【請求項５】
前記支持プレートは、前記容器の底部を支持するための支持面を有し、
前記支持面は、前記粘着層の周囲に設けられ、
前記粘着層の表面は、前記支持面よりも高い位置に設けられていることを特徴とする、請求項１〜３の何れかに記載の容器用保持具。
【請求項６】
前記支持プレートの表面には、前記粘着層を埋設可能な凹部が設けられていることを特徴とする、請求項１〜５の何れかに記載の容器用保持具。
【請求項７】
前記粘着層は、粘着性を有するエラストマーシートであることを特徴とする、請求項１〜６の何れかに記載の容器用保持具。
【考案の詳細な説明】
【技術分野】
【０００１】
本考案は、容器が風に煽られても倒れないように保持することができる容器用保持具に関する。
【背景技術】
【０００２】
従来、バーベキュー等の野外で食事する際には、持ち運びが容易で使い勝手の良い紙皿や紙コップ等の容器がよく利用されている。しかしながら、このような容器は、風に煽られやすく、バランスを崩して紙皿内の食品を落としてしまったり、紙コップ内の飲料をこぼしてしまうケースが多発していた。
【０００３】
このような問題に対して、紙皿が風に煽られることを抑制する紙皿の錘が提案されている（例えば、特許文献１）。
特許文献１には、「金属製の平らな板の４方に伸縮性のある紐を取り付けその端に開閉の出来るクリップを取り付けた紙皿の錘」の技術が記載されている。このように、紙皿に金属製の錘を取り付け、紙皿に一定の重さを加えることによって、紙皿が風に煽られて、紙皿の中にある食べ物が廻りに飛び散ることを抑制できるとされている。
【先行技術文献】
【特許文献】
【０００４】
【特許文献１】実用新案登録第３１００９６１号公報
【考案の概要】
【考案が解決しようとする課題】
【０００５】
しかしながら、特許文献１に記載の紙皿の錘は、紙皿にクリップを取り付ける手間が掛かる事や、このクリップが紙皿の表面に露出するため使用上邪魔になってしまうという欠点を有するものであった。
【０００６】
本考案は、かかる実情に鑑み、容器を容易に着脱させることができる容器用保持具を提供することを課題とする。
【課題を解決するための手段】
【０００７】
上記課題を解決するため、本考案に係る容器用保持具は、容器を支持する支持プレートと、この支持プレートに設けられ、前記容器を保持する粘着層と、を備えることを特徴とする。
【０００８】
このように、支持プレートと粘着層を備えた構成とすることにより、容器の着脱が容易な容器用保持具とすることができる。また、容器の表面に容器用保持具が露出しないため、使用上邪魔になることが無い。
【０００９】
また、本考案に係る容器用保持具は、容器と、この容器を支持する支持プレートと、この支持プレートに設けられ、前記容器を保持する粘着層と、を備え、この粘着層は、前記容器と前記支持プレートの間に設けられていることを特徴とする。
このように、粘着層を、容器と支持プレートの間に設けた構成とすることにより、容器の着脱を容易に行うことができる。
【００１０】
本考案の好ましい形態では、前記支持プレートは、前記容器よりも重量を有することを特徴とする。
このように、容器よりも重量を有する支持プレートとすることによって、容器に一定の重さを加えて、容器が容易に転倒してしまうことを抑制することができる。
【００１１】
本考案の好ましい形態では、前記支持プレートは、前記容器の底部を支持するための支持面を有し、前記支持面は、前記粘着層の表面と同様の高さに設けられていることを特徴とする。
このように、支持面と粘着層の表面とを同様の高さに設けることにより、支持面と粘着層の表面とで紙皿の裏面を広範囲にわたって支持することができ、紙皿の形状が崩れてしまうことを抑制することができる。
【００１２】
本考案の好ましい形態では、前記支持プレートは、前記容器の底部を支持するための支持面を有し、前記支持面は、前記粘着層の周囲に設けられ、前記粘着層の表面は、前記支持面よりも高い位置に設けられていることを特徴とする。
このように、粘着層の表面が支持面よりも高い位置に設けられていることにより、紙コップに適用可能な容器用保持具とすることができる。
【００１３】
本考案の好ましい形態では、前記支持プレートの表面には、前記粘着層を埋設可能な凹部が設けられていることを特徴とする。
このように、支持プレートに凹部を設け、粘着層を支持プレートに埋没させることにより、紙皿Ｐの裏面を広範囲にわたって支持することができる。
【００１４】
本考案の好ましい形態では、前記粘着層は、粘着性を有するエラストマーシートであることを特徴とする。
このように、粘着層にエラストマーシートを用いることにより、容器用保持具を容易に製造することができる。
【考案の効果】
【００１５】
本考案は、容器を容易に着脱させることができる容器用保持具を提供することができる。
【図面の簡単な説明】
【００１６】
【図１】本考案の実施形態１に係る容器用保持具の分解斜視図である。
【図２】本考案の実施形態１に係る容器用保持具のＸーＸ線断面図である。
【図３】本考案の実施形態２に係る容器用保持具の分解斜視図である。
【図４】本考案の実施形態２に係る容器用保持具のＸＩーＸＩ線縦断面図である。
【図５】本考案の実施形態３に係る容器用保持具の分解斜視図である。
【図６】本考案の実施形態３に係る容器用保持具のＸＩＩーＸＩＩ縦断面図である。
【考案を実施するための形態】
【００１７】
以下、本考案を図面に示した好ましい実施形態１ないし実施形態３について詳細に説明する。本考案の技術的範囲は、添付図面に示した実施形態に限定されるものではなく、実用新案登録請求の範囲に記載された範囲内において、適宜変更が可能である。
【００１８】
＜実施形態１＞
本考案の実施形態１に係る容器用保持具Ａは、紙皿Ｐ（容器）を支持する支持プレート１と、この支持プレート１に設けられ、紙皿Ｐを裏面から保持する粘着層２と、を備えている（図１、図２参照）。
【００１９】
支持プレート１は、概略皿状に形成されており、紙皿Ｐの裏面に当接される支持面１ａと、粘着層２が設けられる底部１ｂと、を有している。この支持プレート１の材料としては、紙よりも重い材料であれば良く、例えば、プラスチック、金属、セラミック等を挙げることができ、紙皿Ｐよりも重く構成されている。
【００２０】
支持面１ａは、支持プレート１の円周部周辺にリング状に設けられており、紙皿Ｐの裏面を下部から支持するよう構成されている。
底部１ｂは、支持プレート１の中央部に平坦面が形成されており、粘着層２を取付けやすいよう構成されている。
【００２１】
粘着層２は、粘着性を有するエラストマーシートによって形成されており、底部１ｂに対応する大きさに形成されている。粘着層２の表面は、粘着性を有しており、紙皿Ｐの裏面に当接されて、容器を粘着・保持するよう構成されている。粘着層２の裏面は、接着材などの接着手段によって底部１ｂに固定される。
この粘着層２の表面に、ごみ及びほこり等が付着して粘着力が落ちてきた場合には、水洗いすることにより、ごみ及びほこり等除去して粘着力を回復させることができる。
【００２２】
本考案によれば、支持プレート１の表面に紙皿Ｐ（容器）を粘着・固定する粘着層２を設けていることにより、紙皿Ｐを上から押し付けるだけで、容易に粘着・保持することができる。また、紙皿Ｐの裏面が粘着されて保持されるため、紙皿Ｐの表面に容器用保持具が露出することが無く使用上邪魔になることが無い。
【００２３】
また、本考案によれば、支持プレート１が紙皿Ｐ（容器）よりも重量を有していることにより、紙皿Ｐを安定に保持することができる。すなわち、紙皿Ｐに一定の重さを加えることにより、容器が風に煽られ、バランスを崩してしまうことを抑制することができる。
【００２４】
また、本考案によれば、支持プレート１に支持面１ａが設けられていることにより、紙皿Ｐの形状が崩れてしまうことを抑制することができる。すなわち、紙皿Ｐを使用していると、焼肉のタレや肉の油が紙皿Ｐに染みて、紙皿Ｐの形状が崩れてきてしまうが、支持面１ａが紙皿Ｐを支持するため、使用者が使用しやすい形状を保つことができる。
【００２５】
また、本考案によれば、支持プレート１が高さを有する皿状に形成されていることにより、紙皿Ｐの底上げを行うことができる。その結果、机の表面よりも高い位置に支持プレート１の表面が配置されるため、風に煽られて机上を転がるゴミ等が食べ物に混入することを抑制することができる。
【００２６】
＜実施形態２＞
以下、本考案の実施形態２に係る容器用保持具Ｂについて、図３及び図４を参照して詳細に説明する。この実施形態２に係る容器用保持具Ｂは、先の実施形態とは異なる支持プレート３を備えることを特徴とする。なお、同実施形態において、先の実施形態と基本的に同一の構成要素については、同一の符号を付してその説明を簡略化する。
【００２７】
本考案の実施形態２に係る容器用保持具Ｂは、紙皿Ｐ（容器）を支持する支持プレート３と、この支持プレート３に設けられ、紙皿Ｐを保持する粘着層２と、を備えている（図３、図４参照）。
【００２８】
支持プレート３は、概略円板状に形成されており、紙皿Ｐの裏面が当接される支持面３ａと、粘着層２が設けられる凹部３ｂと、を有している。また、この支持プレート３は、先の実施形態の支持プレート１と同様に、紙よりも重い材料で形成されている。
【００２９】
支持面３ａは、支持プレート３の円周部周辺にリング状に設けられており、紙皿Ｐの裏面と当接されるよう構成されている。
凹部３ｂは、支持プレート３の中央部に設けられており、粘着層２の厚さ２ａに対応した高さに形成されている。
【００３０】
本実施形態によれば、支持プレート３に凹部３ｂを設け、粘着層２を埋没させることにより、紙皿Ｐの裏面を広範囲にわたって支持することができる。すなわち、粘着層２の表面と支持面３ａとを隙間なく隣接させることができるため、容器用保持具Ｂの上面全体で紙皿Ｐの裏面を支持することができる。
【００３１】
＜実施形態３＞
以下、本考案の実施形態３に係る容器用保持具Ｃについて、図５及び図６を参照して詳細に説明する。この実施形態３に係る容器用保持具Ｃは、先の実施形態とは異なる支持プレート４を備えることを特徴とする。なお、同実施形態において、先の実施形態と基本的に同一の構成要素については、同一の符号を付してその説明を簡略化する。
【００３２】
本考案の実施形態３に係る容器用保持具Ｃは、紙コップＫ（容器）を支持する支持プレート４と、この支持プレート４に設けられ、紙コップＫを保持する粘着層２と、を備えている（図５、図６参照）。
【００３３】
支持プレート４は、概略円板状に形成されており、紙コップＫの高台Ｋ１の下端が当接される支持面４ａを有している。また、先の実施形態の支持プレート１、３と同様に、紙よりも重い材料で形成されている。
【００３４】
粘着層２は、紙コップＫの高台高さＫ３に対応した厚さ２ａに形成されており、支持面４ａは高台Ｃ１に、粘着層２の表面は高台内Ｋ２に、それぞれ当接されるよう構成されている（図６参照）。
【００３５】
本実施形態によれば、粘着層２の表面が支持面４ａよりも高い位置に設けられていることにより、紙コップＫの高台Ｋ１及び高台内Ｋ２を同時に支持することができる。その結果、紙コップＫに適用可能な容器用保持具とすることができる。
【００３６】
また、本考案の容器として、紙皿Ｐや紙コップＫの紙製容器を例示したが、紙製以外にもプラスチック製や木製、発泡スチロール製等の容器も当然に用いることができる。
また、粘着層２としてエラストマーシートを例示したが、粘着性を有する材料であれば、慣用の材料を当然に用いることができる。
【符号の説明】
【００３７】
Ａ、Ｂ、Ｃ  容器用保持具
１、３、４  支持プレート
１ａ、３ａ、４ａ  支持面
２  粘着層
２ａ  厚さ
Ｐ  紙皿
Ｋ  紙コップ
Ｋ１  高台
Ｋ２  高台内
Ｋ３  高台高さ
【図１】
0003202040.tif 000003
【図２】
0003202040.tif 000004
【図３】
0003202040.tif 000005
【図４】
0003202040.tif 000006
【図５】
0003202040.tif 000007
【図６】
0003202040.tif 000008